(57)【要約】【課題】封筒の機能を損なうことなく封筒付き冊子を作製することのできる封筒付き冊子の作製方法および冊子綴込み用封筒を提供する。【解決手段】封筒１１の表部１１ａと裏部の裏面同士を貼り合せて貼り合せ幅ｗ２が約８ミリの貼合部１５を形成した後、貼合部１５が冊子の製本時に約３ミリの幅ｗ３で裁断されるように封筒１１に付設された綴込み片１２を冊子に綴じ込んで封筒付き冊子を作製する。【選択図】図２
2007062744.tif 000002
【特許請求の範囲】
【請求項１】
各種の申込に使用される封筒の表部および裏部の裏面同士を所定の幅で貼り合せて貼合部を形成した後、該貼合部が冊子の製本時に前記貼合部の貼り合せ幅より小さい裁ち落し幅で裁断されるように前記封筒に付設された綴込み片を冊子に綴じ込んで封筒付き冊子を作製するようにしたことを特徴とする封筒付き冊子の作製方法。
【請求項２】
前記封筒は一枚のシートからなることを特徴とする請求項１記載の封筒付き冊子の作製方法。
【請求項３】
前記封筒は二枚のシートからなることを特徴とする請求項１記載の封筒付き冊子の作製方法。
【請求項４】
前記綴込み片は前記封筒の表部または裏部に連設されていることを特徴とする請求項１記載の封筒付き冊子の作製方法。
【請求項５】
封筒付き冊子を作製するときに用いられる封筒であって、前記冊子に綴じ込まれる綴込み片と、封筒本体の表部および裏部の裏面同士を所定の幅で貼り合せて形成された貼合部とを有し、該貼合部が冊子の製本時に前記貼合部の貼り合せ幅より小さい裁ち落し幅で裁断されることを特徴とする冊子綴込み用封筒。
【発明の詳細な説明】
【技術分野】
【０００１】
本発明は、商品購入や資料請求などの各種の申込に使用される封筒付きの冊子を作製する方法および封筒付き冊子を作製するときに用いられる冊子綴込み用封筒に関する。
【背景技術】
【０００２】
カタログなどの冊子に掲載された商品の購入や資料請求などを申し込む方法の一つとして、冊子に付属する申込用葉書を利用する方法が知られているが、この方法は、申込用葉書に個人情報などを記入しなければならないため、秘密保持を要する場合には適さないという難点がある。そこで、これに代わる方法として、カタログなどの冊子に封筒を綴じ込んでおき、これを利用して各種の申込を行なう方法が提案されている。
【発明の開示】
【発明が解決しようとする課題】
【０００３】
しかしながら、例えば図１１及び図１２に示すような封筒１１に付設された綴込み片１２を冊子に綴じ込んで封筒付き冊子を作製しようとすると、封筒１１が綴じ合わされた冊子の三方を裁ち落したときに封筒１１の下端部全体が裁断されてしまい、封筒の機能が損なわれるという問題があった。
本発明は、上述した問題点に鑑みてなされたものであり、封筒の機能を損なうことなく封筒付き冊子を作製することのできる封筒付き冊子の作製方法を提供することを目的とする。また、本発明の他の目的は、封筒付き冊子を作製する際に好適な冊子綴込み用封筒を提供することを目的とする。
【課題を解決するための手段】
【０００４】
上記の目的を達成するために、請求項１に係る発明は、各種の申込に使用される封筒の表部および裏部の裏面同士を所定の幅で貼り合せて貼合部を形成した後、該貼合部が冊子の製本時に前記貼合部の貼り合せ幅より小さい裁ち落し幅で裁断されるように前記封筒に付設された綴込み片を冊子に綴じ込んで封筒付き冊子を作製するようにしたことを特徴とする。
【０００５】
請求項２に係る発明は、請求項１記載の封筒付き冊子の作製方法において、前記封筒が一枚のシートからなることを特徴とする。
請求項３に係る発明は、請求項１記載の封筒付き冊子の作製方法において、前記封筒が二枚のシートからなることを特徴とする。
請求項４に係る発明は、請求項１記載の封筒付き冊子の作製方法において、前記綴込み片が前記封筒の表部または裏部に連設されていることを特徴とする。
【０００６】
請求項５に係る発明は、封筒付き冊子を作製するときに用いられる封筒であって、前記冊子に綴じ込まれる綴込み片と、封筒本体の表部および裏部の裏面同士を所定の幅で貼り合せて形成された貼合部とを有し、該貼合部が冊子の製本時に前記貼合部の貼り合せ幅より小さい裁ち落し幅で裁断されることを特徴とする。
【発明の効果】
【０００７】
本発明に係る封筒付き冊子の作製方法によれば、封筒の表部と裏部の裏面同士が冊子の三方を裁ち落すときの寸法（通常は約３ミリ）よりも大きい幅で貼り合わされているため、冊子の製本時に封筒の貼合部全体が裁ち落されてしまうことがない。したがって、封筒の機能を損なうことなく封筒付き冊子を作製することができる。
また、本発明に係る冊子綴込み用封筒によれば、冊子の製本時に貼合部全体が裁ち落されてしまうことがないので、冊子の製本時に封筒の機能が損なわれることを防止することができる。
【発明を実施するための最良の形態】
【０００８】
以下、本発明の実施の形態を図面に基づいて説明する。
図１は本発明に係る封筒付き冊子の作製方法によって作製された封筒付き冊子の一例を示す斜視図であり、同図に示すような封筒付き冊子１０を作製する場合は、先ず、図２〜図４に示すような封筒１１を作製し、この封筒１１に付設された綴込み片１２を冊子に綴じ込む。
【０００９】
具体的には、封筒１１の表部１１ａおよび裏部１１ｂの裏面同士を貼り合せ、貼り合せ幅ｗ１が約１０ミリの貼合部１４を封筒１１の所定位置（この場合は封筒１１の側縁部）に形成するとともに、貼り合せ幅ｗ２が約８ミリの貼合部１５を封筒１１の所定位置（この場合は封緘片１１ｃと反対側の封筒１１の下端部）に形成する。そして、貼合部１４の中央部に切り離し用のミシン目１６を形成し、さらに封筒１１に付設された綴込み片１２を冊子に綴じ込んだ後、封筒１１が綴じ合わされた冊子の三方を裁ち落す。このとき、冊子の三方が裁ち落される寸法は約３ミリ程度であるから、封筒１１の表部１１ａおよび裏部１１ｂの裏面同士を貼り合せて貼り合せ幅ｗ２が約８ミリの貼合部１５を所定位置に形成した後、貼合部１５が冊子の製本時に約３ミリの幅ｗ３で裁断されるように綴込み片１２を冊子に綴じ込めば、封筒１１の貼合部全体が冊子の製本時に裁ち落されてしまうことがない。したがって、封筒１１の機能を損なうことなく封筒付き冊子１０を作製することができる。
【００１０】
また、図２〜図４に示した冊子綴込み用封筒１１によれば、冊子の製本時に貼合部全体が裁ち落されてしまうことがないので、冊子の製本時に封筒の機能が損なわれることを防止でき、封筒付き冊子を作製するのに好適な冊子綴込み用封筒を得ることができる。
なお、図１〜図４に示した実施の形態では冊子に綴じ込まれる封筒として表部１１ａが裏部１１ｂの左側縁部に連設されたものを用いたが、図５及び図６に示すように、冊子に綴じ込まれる封筒として表部１１ａが裏部１１ｂの右側縁部に連設されたものを用いてもよい。
【００１１】
また、図１〜図６に示した実施の形態では冊子に綴じ込まれる封筒として一枚のシートからなるものを例示したが、例えば図７に示すように、冊子に綴じ込まれる封筒１１を二枚のシートから形成してもよい。
図７に示した実施の形態では冊子に綴じ込まれる封筒として綴込み片１２が封筒の側縁部に付設されたものを例示したが、例えば図８に示すように、冊子に綴じ込まれる封筒１１が二枚のシートからなり、かつ綴込み片１２が封筒１１の下端部に付設されたものであってもよい。
【００１２】
図８に示した実施の形態では冊子に綴じ込まれる封筒として綴込み片１２が封筒の下端部に付設されたものを例示したが、例えば図９に示すように、綴込み片１２が封筒１１の封緘片１１ｃに付設されたものを用いてもよい。
図９に示した実施の形態では冊子に綴じ込まれる封筒１１が一枚のシートからなるものを例示したが、例えば図１０に示すように、冊子に綴じ込まれる封筒１１を二枚のシートから形成してもよい。
【００１３】
上述した各実施の形態では封筒１１に付設した綴込み片１２が無線綴じ（糊のみで綴じる方法）にて綴じ込まれる場合の封筒を例示したが、綴込み片１２が平綴じ（背の近辺をホチキスなどで綴じる方法）にて綴じ込まれる場合の封筒についても本発明を適用することができる。この場合、綴込み片１２の幅を長めにしておくことが好ましい。さらに、封筒１１は定形外であってもよく、定形外の場合は製本の前の冊子と同じサイズの封筒であってもよい。
【図面の簡単な説明】
【００１４】
【図１】本発明に係る封筒付き冊子の作製方法によって作製された封筒付き冊子の一例を示す斜視図である。
【図２】本発明の第１の実施形態に係る封筒の正面図である。
【図３】図２に示す封筒の背面図である。
【図４】図２に示す封筒の展開図である。
【図５】本発明の第２の実施形態に係る封筒の正面図である。
【図６】図５に示す封筒の展開図である。
【図７】本発明の第３の実施形態に係る封筒の分解斜視図である。
【図８】本発明の第４の実施形態に係る封筒の正面図である。
【図９】本発明の第５の実施形態に係る封筒を示す図で、（ａ）は封筒の展開図、（ｂ）は封筒の正面図である。
【図１０】本発明の第６の実施形態に係る封筒を示す図である。
【図１１】封筒付き冊子を作製する場合の従来例を示す図である。
【図１２】図１１に示す封筒の展開図である。
【符号の説明】
【００１５】
１０  封筒付き冊子
１１  封筒
１１ａ  表部
１１ｂ  裏部
１２  綴込み片
１４，１５  貼合部
【図１】
2007062744.tif 000003
【図２】
2007062744.tif 000004
【図３】
2007062744.tif 000005
【図４】
2007062744.tif 000006
【図５】
2007062744.tif 000007
【図６】
2007062744.tif 000008
【図７】
2007062744.tif 000009
【図８】
2007062744.tif 000010
【図９】
2007062744.tif 000011
【図１０】
2007062744.tif 000012
【図１１】
2007062744.tif 000013
【図１２】
2007062744.tif 000014